(57)【特許請求の範囲】
【請求項１】
収納家具の上面から上方に向けて高さ調整用のネジ棒と１又は複数の支持棒をそれぞれ上方への突出長さ調整自在に立設し、ネジ棒の上端部に突っ張り体の中央部をネジ棒に対して回動自在で且つ上下方向には移動しないように取付け、ネジ棒の突出長さ調整により上記突っ張り体を天井面に当接し、上記支持棒の突出長さ調整により支持棒の上端部を天井面に当接した突っ張り体の下面のネジ棒の取付け部よりも後方にずれた位置において当接させて成ることを特徴とする家具の転倒防止構造。
【請求項２】
収納家具の上面に固着される取付け部材にネジ棒及び支持棒がそれぞれ上方への突出長さ調整自在に立設してあることを特徴とする請求項１記載の家具の転倒防止構造。
【請求項３】
突っ張り体を上方に付勢するばねと、突っ張り体の下方への戻りを防止する戻り防止機構とを備えていることを特徴とする請求項１又は請求項２記載の家具の転倒防止構造。
【請求項４】
対向する側板の内面の上端部間に天板を架設して側板の上端面と天板の上面とが面一となった収納家具を構成し、複数の収納家具を側板同士が当接するように並設し、取付け部材を、一方の天板の上面端部から一方の側板の上端面、隣接する他方の側板の上端面を経て他方の天板の上面端部にわたって載置した状態で両収納家具に固着して成ることを特徴とする請求項２記載の家具の転倒防止構造。
【発明の詳細な説明】
【技術分野】
【０００１】
本発明は、収納家具が地震などで転倒するのを防止するための技術に関するものである。
【背景技術】
【０００２】
従来から、収納家具の転倒を防止するために、収納家具の天板から上方に高さ調整用の支持杆を突出させ、支持杆の突出長さ調整により支持杆の上端に設けた突っ張り体を天井面に当接し、これにより地震時に収納家具が転倒しないようにしたものが特許文献１などにより知られている。
【０００３】
このような支持杆の上端の突っ張り体を天井面に当接することで収納家具の転倒を防止するようなものにおいては、天井面に当接する突っ張り体の面積が大きい程天井面を傷つけない効果が大きくなる。
【０００４】
図１１（ａ）には上記の従来例の通常時における概略図を示している。ところが、地震時に収納家具１が傾くと、天井面６に当接している突っ張り体５’の面積が大きいと収納家具１の傾きに追従して支持杆２０が傾き、突っ張り体５’の後端のみが収納家具１に接した状態で突っ張り体５’が傾こうとし、このため、図１１（ｂ）のＡで示す部分に応力が集中し、支持杆２０が曲がったり、接合部が壊れたりするという問題がある。
【０００５】
また、面積の大きな突っ張り体を複数のネジ棒で支えて天井面に当接するものも特許文献２により知られているが、この従来例にあっては、突っ張り体と複数のネジ棒は連結されておらず、したがって、面積の大きな突っ張り体を手で支持しながら、複数のネジ棒を回転して突っ張り体を上方に押し上げて天井面に当接させなければならず、一人での作業は困難で、複数の作業者により作業しなければならないという問題がある。
【０００６】
また、上記したいずれの従来例にあっても、収納家具が沈み込んだ場合、天井面に当接していた突っ張り体が天井面から下方に下がり、この場合には収納家具の転倒防止が出来ないという問題がある。
【特許文献１】実開平５−７２２３４号公報
【特許文献２】特開２００６−１５８８０９号公報
【発明の開示】
【発明が解決しようとする課題】
【０００７】
本発明は上記の従来の問題点に鑑みて発明したものであって、突っ張り体の天井面への当接状態を安定させることができ、また、ネジ棒の突っ張り体への取付け部分が破損したり、ネジ棒が曲がるのが防止でき、確実に突っ張り体を天井面に当接した状態を保持して収納家具の転倒防止ができ、また、突っ張り体を天井面に当接して転倒防止を行うようにする作業が簡単にでき、更に、収納家具が下方に沈み込んでも突っ張り体の天井面への当接を継続できて、確実に収納家具の転倒防止を図ることができる家具の転倒防止構造を提供することを課題とするものである。
【課題を解決するための手段】
【０００８】
上記課題を解決するために本発明に係る家具の転倒防止構造は、収納家具１の上面から上方に向けて高さ調整用のネジ棒３と１又は複数の支持棒４をそれぞれ上方への突出長さ調整自在に立設し、ネジ棒３の上端部に突っ張り体５の中央部をネジ棒３に対して回動自在で且つ上下方向には移動しないように取付け、ネジ棒３の突出長さ調整により上記突っ張り体５を天井面６に当接し、上記支持棒４の突出長さ調整により支持棒４の上端部を天井面６に当接した突っ張り体５の下面のネジ棒３の取付け部よりも後方にずれた位置において当接させて成ることを特徴とするものである。
【０００９】
このような構成とすることで、突っ張り体５をネジ棒３と支持棒４とで支持して突っ張り体５を天井面６に当接した状態を維持できる。また、突っ張り体５をネジ棒３と支持棒４とで支持するに当たり、まず、突っ張り体５を手で支持することなく、ネジ棒３の突出長さ調整操作のみで突っ張り体５を天井面６に当接することができ、支持棒４はその後、突出長さ調整をして支持棒４の上端部を天井面６に当接した突っ張り体５の下面に当接させるだけで作業が完了するので、一人でも簡単且つ確実に作業を行うことができる。また、ネジ棒３を回転して突出長さ調整操作をして突っ張り体５を天井面６に当てた状態で、更にネジ棒３を回転することで天井面６に当たっている突っ張り体５を天井面６に強く押し付けることが可能で、この場合、突っ張り体５が天井面６に当たった状態では回転することなく天井面６に強く押し付けられるので、天井面６を突っ張り体５の押し付け状態における回転で傷付けることがない。また、天井面６に突っ張り体５が当たった際の姿勢、つまり、当接初期の姿勢を保ったままネジ棒３を回転して突っ張り体６を天井面６に強く押し付けることができるので、突っ張り体５の天井面６への当接初期に、突っ張り体５の支持棒４により押し付けられる位置を、あらかじめ支持棒４の真上となるように位置させておけば、ネジ棒３の回転終了後における後工程で支持棒４の上端を突っ張り体５の目的とする位置に確実に当接するということも可能となる。また、ネジ棒３を突っ張り体５の中央部に取付けると共に支持棒４を突っ張り体５の下面のネジ棒３の取付け部よりも後方にずれた位置において当接させるので、突っ張り体５の面積が大きいものであっても、地震時に収納家具１が傾いた際に追従して突っ張り体５ががたつこうとしても、突っ張り体５の後部を支持棒４で補強することができて突っ張り体５が傾いたり、ネジ棒３先端部の突っ張り体５の取付け部分が破損したり、ネジ棒３が曲がったりするのが防止でき、これによりいっそう収納家具１の転倒が防止できる。
【００１６】
また、収納家具１の上面に固着される取付け部材７にネジ棒３及び支持棒４がそれぞれ上方への突出長さ調整自在に立設してあることが好ましい。
【００１７】
このように、取付け部材７にネジ棒３及び支持棒４が立設してあることで、取付け部材７で天板２の補強ができると共に、ネジ棒３及び支持棒４が立設し取付け部材７を天板２に取付けるので、収納家具１の上面に上方への突出長さ自在にネジ棒３及び支持棒４を簡単に取付けることができる。
【００１８】
また、突っ張り体５を上方に付勢するばね８と、突っ張り体５の下方への戻りを防止する戻り防止機構９とを備えていることが好ましい。
【００１９】
ばね８により突っ張り体５が上方に付勢してあって、下方へは戻らないようになっているため、収納家具１が下方に沈み込んでも突っ張り体５の天井面６への当接状態が継続され、収納家具１の転倒を確実に防止できる。
【００２０】
また、対向する側板２１の内面の上端部間に天板２を架設して側板２１の上端面と天板２の上面とが面一となった収納家具１を構成し、複数の収納家具１を側板２１同士が当接するように並設し、取付け部材７を、一方の天板２の上面端部から一方の側板２１の上端面、隣接する他方の側板２１の上端面を経て他方の天板２の上面端部にわたって載置した状態で両収納家具１に固着することが好ましい。
【００２１】
このような構成とすることで、地震時に突っ張り体５から収納家具１にかかる負荷は、取付け部材７から隣接する収納家具１の互いに当接しあっている２つの側板２１により直接支持されることになり、天板２に負荷が集中してかかって天板２の側端面と側板２１の内側面との接合部分における接合が外れるという現象を防止することができ、地震時に収納家具１の転倒を突っ張り体５で確実に防止することができる。更に、取付け部材７が両収納家具１に固着されることで、突っ張り体５の位置ずれが生じることなく、地震の際の振動などにより収納家具１から外れるというおそれもなく、確実に収納家具１の転倒を防止できる。
【発明の効果】
【００２２】
本発明の請求項１記載の発明は、ネジ棒の上端部に設けた突っ張り体を天井面に当接し、支持棒の上端部を天井面に当接した突っ張り体の下面に当接するので、ネジ棒と支持棒とにより突っ張り体の天井面への当接を安定させることができ、しかも、ネジ棒と支持棒とで突っ張り体を支持するにもかかわらず、ネジ棒の上方への突出状態の調整を行うことで、突っ張り体を手で保持することなく、天井面に当接でき、支持棒はその後に上方への突出調整をすればよいので、一人で簡単且つ確実に作業ができる。また、ネジ棒の上端部に突っ張り体をネジ棒に対して回動自在で且つ上下方向には移動しないように取付けてあるので、天井面を傷付けることなく突っ張り体を天井面に強く押し付けることができる。また、ネジ棒を突っ張り体の中央部に取付けると共に支持棒を突っ張り体の下面のネジ棒の取付け部よりも後方にずれた位置において当接させあるので、突っ張り体が前下がりとなるように傾き難く、ネジ棒への突っ張り体の取付け部分が破損したり、ネジ棒が曲がるのが防止でき、確実に突っ張り体を天井面に当接した状態を保持して収納家具の転倒防止ができる。
【００２６】
また、請求項２記載の発明にあっては、上記請求項１記載の発明の効果に加え、収納家具の上面に固着される取付け部材にネジ棒及び支持棒がそれぞれ上方への突出長さ調整自在に立設してあるので、天板の補強と、天板へネジ棒及び支持棒の取付けが簡単にできる。
【００２７】
また、請求項３記載の発明にあっては、上記請求項１又は請求項２記載の発明の効果に加え、突っ張り体を上方に付勢するばねと、突っ張り体の下方への戻りを防止する戻り防止機構とを備えているので、収納家具が下方に沈み込んでも突っ張り体の天井面への当接を継続できて、確実に収納家具の転倒防止を図ることができる。
【００２８】
また、請求項４記載の発明にあっては、上記請求項２記載の発明の効果に加え、取付け部材を、一方の天板の上面端部から一方の側板の上端面、隣接する他方の側板の上端面を経て他方の天板の上面端部にわたって載置した状態で両収納家具に固着するので、地震時に突っ張り体から収納家具にかかる負荷が、取付け部材から隣接する収納家具の２つの側板により直接支持され、これにより天板に負荷が集中してかかって天板の側端面と側板の内側面との接合部分における接合が外れるという現象を防止することができ、地震時に収納家具の転倒を突っ張り体で確実に防止することができ、更に、取付け部材が両収納家具に固着されるので、突っ張り体の位置ずれが生じることなく、地震の際の振動などにより収納家具から外れるというおそれもなく、確実に収納家具の転倒を防止できる。
【発明を実施するための最良の形態】
【００２９】
以下、本発明を添付図面に示す実施形態に基いて説明する。
【００３０】
図１、図２には本発明の一実施形態が示してある。
【００３１】
収納家具１は床面に設置されるのもので、この収納家具１の天板２には高さ調整用のネジ棒３と１又は複数の支持棒４をそれぞれ上方への突出長さ調整自在に立設してある。
【００３２】
図１、図２に示す実施形態では、天板２には前後方向に複数（実施形態では２個）の鬼目ナットのようなナット部１０を設けてある。なお、この前後方向に設けたナット部１０の対は天板２の左右方向に複数対設けてもよい。上記前後方向に設けた対となった複数のナット部１０のうち一つのナット部１０にネジ棒３を螺合してネジ棒３を天板２の上方に突出するように立設しあり、ネジ棒３を回転操作することで、ネジ棒３の上方への突出長さを調整自在としてある。残りのナット部１０には外周に雄ネジを有する支持棒４を螺合して支持棒４を天板２の上方に突出するように立設しあり、支持棒４を回転操作することで、支持棒４の上方への突出長さを調整自在としてある。
【００３３】
ネジ棒３の上端部には連結部１８が設けてあり、該連結部１８が板状をした突っ張り体５の下面部に設けた被連結部１９に回転自在ではあるが上下方向には移動しないように取付けてある。このようにしてネジ棒３の上端部に突っ張り体５がネジ棒３に対して回動自在で且つネジ棒３に対しては上下方向には移動しないように取付けてあり、ネジ棒３を上方に移動させるとネジ棒３の上端部に取付けた突っ張り体５も上方に移動するようになっている。ここで、突っ張り体５はその中央部がネジ棒３に取付けてある。
【００３４】
支持棒４を螺合するナット部１０は、上記ネジ棒３を螺合するナット部１０よりも天板２の前後方向において後方にずれて設けてある。
【００３５】
施工に当たっては、収納家具１は床面に設置し、次に、ネジ棒３を回転操作してネジ棒３を上方に突出させていくことで、ネジ棒３と共に突っ張り体５を上方に移動して突っ張り体５の上面を天井面６に当接する。この場合、突っ張り体５を手で支持することなく、ネジ棒３の回転操作のみで突っ張り体５の上面を天井面６に当接することができる。
【００３６】
次に、支持棒４を回転して上方に突出させ、支持棒４の上端部を天井面６に当接した突っ張り体５の下面に当接する。
【００３７】
上記のようにして天井面６に当接している突っ張り体５の中央部をネジ棒３で下方か突っ張り支持し、該天井面６に当接している突っ張り５の下面の後部を支持棒４で下方から突っ張り支持する。
【００３８】
これにより、天井面６に当接した突っ張り体５がネジ棒３と支持棒４とで支持されて天井面６に当接した状態が維持されることになり、突っ張り体５の天井面６への当接が安定し、地震時に突っ張り体５のがたつきが防止され、収納家具１の転倒防止が確実に行えることになる。また、ネジ棒３を突っ張り体５の中央部に取付けると共に支持棒４を突っ張り体５の下面のネジ棒３の取付け部よりも後方にずれた位置において当接させることで、突っ張り体５の面積が大きいものであっても、地震時に収納家具１が傾いた際に追従して突っ張り体５ががたつこうとしても、突っ張り体５の後部を支持棒４で補強することができて突っ張り体５が傾いたり、ネジ棒３先端部の突っ張り体５の取付け部分が破損したり、ネジ棒３が曲がったりするのが防止でき、これによりいっそう収納家具１の転倒が防止できる。
【００３９】
更に、突っ張り体５をネジ棒３と支持棒４とで支持するようにしたにもかかわらず、突っ張り体５を手で支持しなくても１つのネジ棒３の突出長さ調整操作のみで突っ張り体５を天井面６に当接できるので、支持棒４はその後、突出長さ調整をして支持棒４の上端部を天井面６に当接した突っ張り体５の下面に当接させるだけで作業が完了し、一人でも簡単且つ確実に作業を行うことができる。
【００４０】
図３、図４には本発明の他の実施形態が示してある。本実施形態においては、金属製のような板状をした取付け部材７に前後方向の複数個所にそれぞれナット部１０を設け、前に位置するナット部１０にネジ棒３を螺合し、後に位置するナット部１０に支持棒４を螺合してある。ネジ棒３の上端には上記と同様に突っ張り体５がネジ棒３に対して回動自在で且つネジ棒３に対しては上下方向には移動しないように取付けてある。
【００４１】
収納家具１の天板２には前後方向にずらして孔１２が設けてあり、上記のようにネジ棒３と支持棒４とを上方に向けて立設して取付けた取付け部材７を天板２の上面に重ね、ネジ棒３と支持棒４の各下端部を上記前後に位置する孔１２にそれぞれ挿通し、この状態で任意の固着手段により取付け部材７を天板２に固着してある。
【００４２】
この実施形態においては、取付け部材７で天板２の補強ができると共に、ネジ棒３及び支持棒４が立設した取付け部材７を天板２に取付けるので、天板２に上方への突出長さ自在にネジ棒３及び支持棒４を簡単に取付けることができる。
【００４３】
本実施形態における収納家具１の転倒防止の作用は前述の実施形態と同様であるので説明は省略する。
【００４４】
図５、図６には本発明の更に他の実施形態が示してある。
【００４５】
本実施形態においては、天板２の上面部に重ねて固着される取付け部材７にネジ棒３や支持棒４を上方には移動できるが下方には移動できないように支持するための戻り防止機構９が前後に複数設けてある。戻り防止機構９は、取付け部材７に円錐形状に傾斜した挿通部１７を設けると共に円錐形状をした挿通部１７の中央部である頂部に貫通孔１６を設けて構成してある。貫通孔１６はネジ棒３や外周に雄ねじを有する支持棒４の外径とほぼ同じか又はやや小さく、貫通孔１６はネジ棒３や外周に雄ネジを有する支持棒４に挿通すると、貫通孔１６の縁がネジ棒３や支持棒４の外周の雄ネジに斜め上方から食い込むようになっている。したがって、ネジ棒３や支持棒４に上方に押し上げる力を加えると、ラチェットと同じ原理で上方には移動できるが、ネジ棒３や支持棒４を下方に引き下げる力が作用してもネジ棒３や支持棒４を下方に移動することができないようになっている。
【００４６】
ネジ棒３や支持棒４の上端部又は上端部より下方位置にばね受け部１５が螺合して設けてあり、回転することでネジ棒３や支持棒４に対する螺合位置を上下方向に変えることがきるようになっている。ばね受け部１５と挿通部１７の上端部との間にはネジ棒３や支持棒４を上方に押し上げようとする付勢力を付勢するばね８が介在してある。
【００４７】
ここで、ネジ棒３の上端には上記と同様に突っ張り体５がネジ棒３に対して回動自在で且つネジ棒３に対しては上下方向には移動しないように取付けてあるので、上記ばね８により突っ張り体５に上方への付勢力が付与され、また、戻り防止機構９により突っ張り体５の下方への戻りが防止してある。
【００４８】
収納家具１の天板２には前後方向にずらして孔１２が設けてあり、上記のようにネジ棒３と支持棒４とを上方に向けて立設して取付けた取付け部材７を天板２の上面に重ね、ネジ棒３と支持棒４の各下端部を上記前後に位置する孔１２にそれぞれ挿通し、この状態で任意の固着手段により取付け部材７を天板２に固着してある。
【００４９】
本実施形態においては、ネジ棒３に上方に押し上げる力を加えることでネジ棒３を上方にスライドにより移動させて素早く天井面６近くに突っ張り体５を位置させたり、当接させたりできる。また、その後、ネジ棒３を回転して確実にネジ棒３の上端部に設けた突っ張り体５を確実に天井面６に当接する。
【００５０】
次に、支持棒４に上方に押し上げる力を加えることで支持棒４を上方にスライドにより移動させて素早く突っ張り体５の下面近くに支持棒４の先端部を位置させたり、当接させたりする。また、その後、支持棒４を回転して確実に支持棒４の上端部を突っ張り体５の下面に当接する。
【００５１】
また、本実施形態では、上記のように突っ張り体５を天井面６に当接した状態でばね受け部１５を操作してネジ棒３に対して相対的に下方移動させることで、ばね８による突っ張り体５への上方への付勢力を大きくする。また、支持棒４の上端部を突っ張り体５の下面に当接した状態でばね受け部１５を操作して支持棒４に対して相対的に下方移動させることで、ばね８による支持棒４への上方への付勢力を大きくし、天井面６に当接している突っ張り体５を上記付勢力により天井面６に弾接させ、また、突っ張り体５の下面に当接している支持棒４の上端部を突っ張り体５に弾接させる。
【００５２】
本実施形態における収納家具１の転倒防止の作用は前述の実施形態と同様であるので重複する説明は省略するが、突っ張り体５を天井面６に弾接させ、支持棒４の上端部を突っ張り体５に弾接させているので、より転倒防止効果がある。
【００５３】
また、本実施形態では、何らかの理由で収納家具１が下方に沈み込んでもばね８による弾性付勢力によりネジ棒３（つまりネジ棒３の上端部に取付けた突っ張り体５）が収納家具１に対して相対的に上方に移動し、突っ張り体５は天井面６に弾接又は当接した状態のまま維持され、また、ばね８による弾性付勢力により支持棒４が収納家具１に対して相対的に上方に移動し、支持棒４の上端部が突っ張り体５の下面部に弾接又は当接した状態のまま維持されることになる。したがって、収納家具１が沈み込んでも収納家具１の転倒を確実に防止できる。
【００５４】
上記各実施形態においては、高さ調整用のネジ棒３の上端部に突っ張り体５を設けるに当たって、ネジ棒３の上端部に突っ張り体５をネジ棒３に対して回動自在で且つ上下方向には移動しないように取付けた例で説明したが、図７、図８、図９にはネジ棒３の上端部に突っ張り体５を固着した例である。
【００５５】
すなわち、図７に示す実施形態では突っ張り体５が金属円板により構成してあり、この金属円板の下面部の中心にボルトよりなるネジ棒３の上端の六角の頭部３ａを溶接により固着してある。また、本実施形態においては、取付け部材７が、収納家具１の上面に載設して固定するための固定板部２２の中央部から上方に断面逆Ｕ字状をした前後に長い突条部２３を突設して構成してあり、該取付け部材７の突条部２３の上面片２４の前後方向の中央部と後部とに設けた孔の縁にそれぞれナット２５が溶接により固着してあり、該ナット２５に上記ネジ棒３及び支持棒４のねじ部が螺合してある。断面逆Ｕ字状をした突条部２３の内部空間２６はネジ棒３、支持棒４を回転して下方に移動した際に、少なくとも下部、あるいは上端部を除いて大部分を収納することができるようになっている。また、本実施形態においては、支持棒４がボルトにより構成してあり、ナット２５に螺合した支持棒４を回転して上方に移動することで支持棒４の上端の六角の頭部４ａを金属円板よりなる突っ張り体５の後部下面に当接することができるようになっている。ネジ棒３、支持棒４にはそれぞれロックナット２７が螺合してあり、ネジ棒３を回転して上方に移動することで突っ張り体５を天井面６に当接した状態でロックナット２７をナット２５に圧接するように締め付けてロックし、また、支持棒４を回転して上方に移動することで支持棒４の上端を突っ張り体５の後部下面に当接した状態でロックナット２７をナット２５に圧接するように締め付けてロックするようになっている。
【００５６】
また、図８に示す実施形態は、ネジ棒３が寸切ボルトにより構成してあって、寸切ボルトの上端を金属円板よりなる突っ張り体５の下面部の中心に溶着してある点が上記図７に示す実施形態と異なる。他の構成は図７に示す実施形態と同じであるので説明を省略する。
【００５７】
また、図９に示す実施形態においては、突っ張り体５を上面部の中央部に凹部２８を有する円板（例えば合成樹脂製の円板）により構成してあり、凹部２８の底に設けた孔にボルトよりなるネジ棒３を挿通し、該ボルトの頭部３ａをワッシャを介して凹部２８の底に当てると共に、ネジ棒３に螺合したナット２９をワッシャを介して締め付けて突っ張り体５の下面に押接させることでネジ棒３に突っ張り体５を固着してある点が上記図７に示す実施形態と異なる。他の構成は図７に示す実施形態と同じであるので説明を省略する。
【００５８】
図１０には本発明の更に他の実施形態が示してある。本実施形態においては収納家具１の上面への取付け部材７の取付け位置に特徴がある。
【００５９】
収納家具１は左右の対向する側板２１の内面の上端部間に天板２を架設して側板２１の上端面と天板２の上面とが面一となり、また、図示を省略しているが、左右の対向する側板２１の内面の下端部間に底板を架設して構成してあり、天板２、底板の側端面が外部に露出しないようにいわゆる「側板勝ち」の枠組み構成となっている。また、収納家具３の背面には必要に応じて背板が設けられ、また、内部には必要に応じて、中仕切り、棚、引き出し等が設けられる。上記の構成の収納家具１を側板２１同士が左右方向に隣接するように複数の収納家具１を並べ、取付け部材７を、図１０に示すように、一方の天板２の上面端部から一方の側板２１の上端面、隣接する他方の側板２１の上端面を経て他方の天板２の上面端部にわたって載置した状態でねじ具３０により両収納家具１に固着する。
【００６０】
このように、取付け部材７を、一方の天板２の上面端部から一方の側板２１の上端面、隣接する他方の側板２１の上端面を経て他方の天板２の上面端部にわたって載置した状態で両収納家具１に固着することで、地震時に突っ張り体５から収納家具１にかかる負荷は、取付け部材７から隣接する収納家具１の互いに当接しあっている２つの側板２１により直接支持されることになり、天板２に負荷が集中してかかることがない。このため、天板２に負荷が集中してかかるって天板２の側端面と側板２１の内側面との接合部分における接合が外れるという現象を防止することができ、地震時に収納家具１の転倒を突っ張り体５で確実に防止することができる。
【００６１】
また、本実施形態では、取付け部材７が両収納家具１に固着されることで、突っ張り体５の位置ずれが生じることなく、地震の際の振動などにより収納家具１から外れるというおそれもなく、確実に収納家具１の転倒を防止できる。
【図面の簡単な説明】
【００６２】
【図１】本発明の一実施形態の断面図である。
【図２】同上の概略斜視図である。
【図３】本発明の他の実施形態の断面図である。
【図４】同上の概略斜視図である。
【図５】本発明の更に他の実施形態の断面図である。
【図６】同上の斜視図である。
【図７】本発明の更に他の実施形態を示し、（ａ）は正面図であり、（ｂ）は側断面図である。
【図８】本発明の更に他の実施形態を示し、（ａ）は正面図であり、（ｂ）は側断面図である。
【図９】本発明の更に他の実施形態を示し、（ａ）は正面図であり、（ｂ）は側断面図である。
【図１０】本発明の更に他の実施形態の斜視図である。
【図１１】従来例を示し、（ａ）は通常時の断面図であり、（ｂ）は地震時の断面図である。
【符号の説明】
【００６３】
１  収納家具
２  天板
３  ネジ棒
４  支持棒
５  突っ張り体
６  天井面
７  取付け部材
８  ばね
９  戻り防止機構
２１  側板
【図１】
0005001765.tif 000002
【図２】
0005001765.tif 000003
【図３】
0005001765.tif 000004
【図４】
0005001765.tif 000005
【図５】
0005001765.tif 000006
【図６】
0005001765.tif 000007
【図７】
0005001765.tif 000008
【図８】
0005001765.tif 000009
【図９】
0005001765.tif 000010
【図１０】
0005001765.tif 000011
【図１１】
0005001765.tif 000012